【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
水力から電気を発生させるための流体動力学システムにおいて、繋留用の浮動可能な又は浮動している構造を備えているシステムであって、この構造は、
概して水平なローターと、
使用中に、下掛け流路及び越流路に衝突水を偏向させてローターを回転させるためのデフレクタと、
ローターの回転から電気を発生させるための発電機とを備える、流体動力学システム。
【請求項２】
デフレクタ又は各デフレクタが、越流路へと水を偏向させるための上面と、下掛け流路へと水を偏向させるための底面とを備えている、請求項１に記載のシステム。
【請求項３】
デフレクタ又は各デフレクタが、長手方向軸に沿って細長く、かつ三角形の横断面を有していて、上面と底面とを画定している、請求項２に記載のシステム。
【請求項４】
デフレクタ又は各デフレクタは、頂点がローターから見て外方に向き、デフレクタの側面がローターに面している状態で組付けられており、デフレクタの長手方向軸が概してローターの回転軸に対して平行である、請求項３に記載のシステム。
【請求項５】
少なくとも１つのデフレクタが、不等辺三角形の横断面を備え、横断面の最短辺がローターの方に向いており、横断面の最長辺が概して下方に向いて底面を画定しておりかつ横断面の残りの一辺が概して上方に向いて上面を画定している、請求項４に記載のシステム。
【請求項６】
水が艇体前部方向から衝突する場合は艇体前部越流路に対して、かつ水が艇体後部方向から衝突する場合には艇体後部越流路に対して衝突水が導かれる、請求項１〜５のいずれかに記載のシステム。
【請求項７】
構造が、艇体前部方向から衝突する水を艇体前部越流路へと偏向させるための艇体前部デフレクタと、艇体後部方向から衝突する水を艇体後部越流路へと偏向させるための艇体後部デフレクタとを備えている、請求項６に記載のシステム。
【請求項８】
越流路に沿って偏向させられた水を収集してローターに作用する水圧ヘッドを提供するためにローターの側面に隣接して越流タンクを画定する可動部材を備えている、請求項１〜７のいずれか一項に記載のシステム。
【請求項９】
付随する越流路に沿って偏向させられた水を収集してローターに作用する水圧ヘッドを提供するために、ローターのそれぞれの艇体前部及び艇体後部側面に隣接してそれぞれの艇体前部及び艇体後部タンクを画定する艇体前部及び艇体後部可動部材を備えている、請求項６又は７に記載のシステム。
【請求項１０】
可動部材又は各可動部材が、付随する越流路に沿って偏向させられた水が付随する越流タンク内に収集される閉鎖位置と、付随する越流路に沿って偏向させられた水がローターの付随する側面を通過して流れることができる開放位置との間で可動である、請求項８又は９に記載のシステム。
【請求項１１】
可動部材又は各可動部材がルーバー扉を備えている、請求項８〜１０のいずれか一項に記載のシステム。
【請求項１２】
複数の艇体前部及び艇体後部ルーバー扉を備えている、請求項１１に記載のシステム。
【請求項１３】
デフレクタ又は各デフレクタが、内部にパッキン材料を有する中空外側本体を備えている、請求項１〜１２のいずれかに記載のシステム。
【請求項１４】
越流路と交差するように組付けられた岩屑ふるいを備えている、請求項１〜１３のいずれかに記載のシステム。
【請求項１５】
前記構造が、ローターにより架橋された第１の浮橋及び第２の浮橋を備えている、請求項１〜１４のいずれかに記載のシステム。
【請求項１６】
第１の浮橋及び第２の浮橋が、各々衝突水を下掛け流路及び越流路へと偏向させてローターを回転させるための艇体前部及び艇体後部デフレクタによってさらに架橋され連結されている、請求項１５に記載のシステム。
【請求項１７】
前記第１の浮橋及び前記第２の浮橋の一方が発電機を備え、他方の前記浮橋が電気インバータ、電気変圧器、電気ブレーカー及びエクスポート電力ケーブル接続箱のうちの１つ以上を備えている、請求項１５又は１６に記載のシステム。
【請求項１８】
前記第１の浮橋及び前記第２の浮橋のうちの少なくとも１つが、より塩分濃度の高い水から淡水を生成するための装置を備えている、請求項１４〜１７のいずれか一項に記載のシステム。
【請求項１９】
前記浮橋の一方から前記浮橋の他方へと淡水を供給するための淡水移送ラインを備えている、請求項１８に記載のシステム。
【請求項２０】
構造がデッキ上方に換気システムを備えている、請求項１〜１９のいずれか一項に記載のシステム。
【請求項２１】
換気システムが、高架空気吸入口を有する換気部材を備えている、請求項２０に記載のシステム。
【請求項２２】
換気システム又は換気部材が航行灯を備えている、請求項２０又は２１に記載のシステム。
【請求項２３】
構造が、各デッキの上方に換気システムを備えている第１の浮橋及び第２の浮橋を備えている、請求項２０〜２２のいずれか一項に記載のシステム。
【請求項２４】
構造が、構造の浮力を調整するための１つ以上のバラストタンクを備えている、請求項１〜２３のいずれかに記載のシステム。
【請求項２５】
構造が浮力を有し、こうして使用中に、下掛け流路及び越流路に水を偏向させてローターを回転させるように構成されている、請求項１〜２４のいずれかに記載のシステム。
【請求項２６】
ローターが、淡水潤滑軸受により前記第１の浮橋及び前記第２の浮橋上に組付けられている、請求項１〜２５のいずれかに記載のシステム。
【請求項２７】
ローターが、半径方向に延在するローターブレードを伴う中空シリンダーローター本体を備えている、請求項１〜２６のいずれかに記載のシステム。
【請求項２８】
ローター本体が、軸方向に延在するテンドンを内蔵する繊維強化コンクリートを備えている、請求項２７に記載のシステム。
【請求項２９】
ローター本体には内部にパッキン材料が配置されている、請求項２７又は２８に記載のシステム。
【請求項３０】
構造を繋留するためのデッドウエイトアンカーを備えている、請求項１〜２９のいずれかに記載のシステム。
【請求項３１】
複数のデッドウエイトアンカーを備え、前記構造が前記複数のデッドウエイトアンカーに繋留するためのものである、請求項１〜３０のいずれかに記載のシステム。
【請求項３２】
デッドウエイトアンカーが、構造の繋留ケーブルに取付けるための支柱を備え、支柱がデッドウエイトアンカーの概して水平な載置表面に対し鋭角を成している、請求項３０又は３１に記載のシステム。
【請求項３３】
支柱は、使用中、最高位天文潮（ＨＡＴ）において、かつＨＡＴ時の天候誘発型高潮を考慮した上で、取付けの際に繋留ケーブルとアンカー支柱が成す角度が常に９０度未満となるような形で角度付けされている、請求項３２に記載のシステム。
【請求項３４】
支柱が、ガイドロッドのラッチ機構を係合するための形成物を備えている、請求項３２又は３３に記載のシステム。
【請求項３５】
構造から電気をエクスポートするためのエクスポート電力ケーブルを備えている、請求項１〜３４のいずれかに記載のシステム。
【請求項３６】
使用中、エクスポートケーブルの１区分が、浮動構造とデッドウエイトアンカーとの間に懸吊されている、請求項３５に記載のシステム。
【請求項３７】
水力から電気を生成するためのネットワーク化流体動力学システムにおいて、
使用中水流を係合するためのローターと、ローターの回転から電気を生成するための発電機とを備えている浮動構造と、
構造を繋留するためのデッドウエイトアンカーと、
構造から電気をエクスポートするためのエクスポート電力ケーブルと、
を備え、エクスポートケーブルの１区分が、浮動構造とデッドウエイトアンカーとの間に懸吊されている、ネットワーク化流体動力学システム。
【請求項３８】
エクスポートケーブルが、システムのデッドウエイトアンカーとさらなる浮動構造との間にさらなる懸吊区分を備えている、請求項３６又は３７に記載のシステム。
【請求項３９】
エクスポートケーブルが、システムのさらなる浮動構造とさらなるデッドウエイトアンカーとの間にさらなる懸吊区分をさらに備えている、請求項３８に記載のシステム。
【請求項４０】
エクスポートケーブルが、システムの複数のなおさらなる浮動構造となおさらなるデッドウエイトアンカーとの間に複数のなおさらなる懸吊区分を備えている、請求項３９に記載のシステム。
【請求項４１】
エクスポート電力ケーブルが、デッドウエイトアンカーと陸上の電力供給地との間に１つの埋設区分を備えている、請求項３６〜４０のいずれか一項に記載のシステム。
【請求項４２】
埋設区分が、複数の浮動構造により生成された電気をエクスポートするように接続された共用区分である、請求項４１に記載のシステム。
【請求項４３】
エクスポートケーブルの前記懸吊区分の１つ以上そして好ましくは全ての懸吊区分が、その浮力を補助するためのケーブルフロートを備えている、請求項３６〜４２のいずれか一項に記載のシステム。
【請求項４４】
エクスポートケーブルの前記懸吊区分の１つ以上そして好ましくは全ての懸吊区分が、水平平面内に屈曲部を備えている、請求項３６〜４３のいずれか一項に記載のシステム。
【請求項４５】
エクスポートケーブルが、電気絶縁材料内に封入された導電性材料でコーティングされた複数の炭素繊維フィラメントを備えている、請求項３６〜４４のいずれか一項に記載のシステム。
【請求項４６】
導電性材料がニッケルである、請求項４５に記載のシステム。
【請求項４７】
浮動構造の緊張繋留のためのデッドウエイトアンカーにおいて、
配備位置において海底上に載置するためのアンカーベースと、
アンカーベースが配備位置にある場合にアンカーベースから非垂直方向に延在する浮動構造の繋留ケーブルに対する取付け用の支柱と、
を備えているアンカー。
【請求項４８】
支柱が、アンカーベースの概して水平の海底載置表面に対して鋭角を成している、請求項４７に記載のアンカー。
【請求項４９】
支柱が、使用中、海底に対して鋭角を成している、請求項４７又は４８に記載のアンカー。
【請求項５０】
支柱が、１０〜８０度の範囲内の角度で鋭角に角度付けされている、請求項４８又は４９に記載のアンカー。
【請求項５１】
支柱は、使用中、最高位天文潮（ＨＡＴ）において、かつＨＡＴ時の天候誘発型高潮を考慮した上で、取付けの際にケーブルとアンカー支柱が成す角度が常に９０度未満となるような形で角度付けされている、請求項４７〜５０のいずれか一項に記載のアンカー。
【請求項５２】
支柱が、ガイドロッドの連結機構を係合するための形成物を備えている、請求項４７〜５１のいずれか一項に記載のアンカー。
【請求項５３】
形成物が、魚頭形突起を備えている、請求項５２に記載のアンカー。
【請求項５４】
浮動構造を繋留する方法において、海底に対して請求項５０又は請求項５１に記載のデッドウエイトアンカーを配備するステップと、ガイドロッドとアンカーの支柱の前記形成物とを係合させるステップと、ガイドロッドに沿って浮動構造の繋留ケーブルのリングを滑動させて支柱を係合させるステップと、繋留ケーブルに対し張力を加えて、リングと支柱の係合を維持するステップと、支柱の前記形成物からガイドロッドを係合解除するステップとを備えている方法。
【請求項５５】
海底に対して請求項５０又は請求項５１に記載の第２のデッドウエイトアンカーを配備するステップと、ガイドロッドと第２のアンカーの支柱の前記形成物とを係合させるステップと、ガイドロッドに沿って浮動構造の繋留ケーブルのリングを滑動させて前記支柱を係合させるステップと、繋留ケーブルに対し張力を加えて、係合リングと前記支柱の係合を維持するステップと、支柱の前記形成物からガイドロッドを係合解除するステップと、を備えている方法によって、反対側の第２のアンカーに対し構造を繋留することにより繋留ケーブル内で張力が維持されている、請求項５４に記載の方法。